(57)【要約】【課題】先端部が歯肉などに触れた際に患者に痛みなどの苦痛を与えるおそれがなく、しかも、吸引操作や吸引ホースへの装着作業などを容易に行える歯科治療用吸引チップを提供する。【解決手段】歯科治療用吸引チップ１は全体としては円筒状であり、円筒の先端部２ａが斜めに切断されている。この先端部２ａが軟質のシリコーンゴムで形成され、先端部２ａに繋がる円筒基部２ｂが硬質のシリコーンゴムで形成されている。  円筒状本体２ａ，２ｂの外周に香料添加カバー５が着脱自在に装着される。この香料添加カバー５は、香料が添加されたシリコーンゴム、生ゴムなどで形成され、円筒状本体２ａ，２ｂの厚さに比べて薄い、極薄円筒状体５ａと、この極薄円筒状体５ａが巻き付けられる環状縁５ｂとからなる。【選択図】図１
0003127514.tif 000002
【実用新案登録請求の範囲】
【請求項１】
円筒の先端部が軟質のシリコーンゴムで形成され、前記先端部に繋がる円筒基部が硬質のシリコーンゴムで形成されてなる円筒状本体と、
香料が添加された極薄円筒状体と、この極薄円筒状体が巻き付けられる環状縁とからなり、前記円筒状本体の外周に着脱自在に装着される香料添加カバーとを有することを特徴とする歯科治療用吸引チップ。
【請求項２】
前記軟質のシリコーンゴムは、ゲル状態のシリコーンゴムであることを特徴とする請求項１に記載の歯科治療用吸引チップ。
【請求項３】
前記ゲル状態のシリコーンゴムの針入度が、８０ｍｍ〜９０ｍｍであることを特徴とする請求項２に記載の歯科治療用吸引チップ。
【請求項４】
前記軟質のシリコーンゴムに香料が添加されていることを特徴とする請求項１に記載の歯科治療用吸引チップ。
【請求項５】
前記香料は、ミント香料、イチゴ香料、バナナ香料のいずれかであることを特徴とする請求項１、請求項４に記載の歯科治療用吸引チップ。
【考案の詳細な説明】
【技術分野】
【０００１】
本考案は、バキューム装置の吸引ホースの先端に着脱自在に装着される歯科治療用吸引チップに関する。
【背景技術】
【０００２】
歯科治療において、患者の口腔内の唾液などを吸引して口腔外に排出するために、バキューム装置が用いられている。バキューム装置の吸引ホースの先端には、シリコーンゴム製の円筒形状をした吸引チップが装着され、吸引ホースの先端が直接歯肉や口腔内粘膜に触れないようにしている。
【特許文献１】特開２００５−１３３９４号公報
【特許文献２】特開２００４−３２１７１０号公報
【特許文献３】実開昭５８−１２４１１７号公報
【特許文献４】実開平６−３６６１６号公報
【考案の開示】
【考案が解決しようとする課題】
【０００３】
しかしながら、従来の歯科治療用吸引チップは、シリコーンゴムのようなゴム材料で形成されてはいるが、それでもその先端部が歯肉や口腔内粘膜に触れた際に患者に違和感や痛みなどの苦痛を与えることがあった。
【０００４】
そこで、歯科治療用吸引チップの材料として軟質のシリコーンゴムを用いることが考えられるが、吸引チップの全体強度が低下して変形が生じやすくなり、吸引操作や吸引ホースへの装着作業などが困難になるという問題があった。
【課題を解決するための手段】
【０００５】
本考案の歯科治療用吸引チップは上述した課題に鑑みてなされたものであり、円筒の先端部が軟質のシリコーンゴムで形成され、前記先端部に繋がる円筒基部が硬質のシリコーンゴムで形成されてなる円筒状本体と、香料が添加された極薄円筒状体と、この極薄円筒状体が巻き付けられる環状縁とからなり、前記円筒状本体の外周に着脱自在に装着された香料添加カバーとを有することを特徴とするものである。
【考案の効果】
【０００６】
本考案の歯科治療用吸引チップによれば、先端部が歯肉や口腔内粘膜に触れた際に患者に痛みなどの苦痛を与えるおそれがなく、しかも吸引チップの全体強度を確保して、吸引操作や吸引ホースへの装着作業などを容易に行える。
【０００７】
また、吸引チップ本体の外周に装着される香料添加カバーを有しているので、そこから香りが広がり、患者をリラックスさせることができる。この香料添加カバーは着脱自在であることから患者毎に交換することができて衛生的である。
【考案を実施するための最良の形態】
【０００８】
以下で、本考案の第１の実施形態による歯科治療用吸引チップを図１及び図２を参照しながら説明する。図１はこの歯科治療用吸引チップ１の斜視図、図２はその長手方向に沿った断面図である。
【０００９】
歯科治療用吸引チップ１は全体としては円筒状であり、円筒の先端部２ａが斜めに切断され、後端部が垂直に切断されて、後端開口部３と先端開口部４が形成されている。そして、患者の歯肉や口腔粘膜に触れる先端部２ａが軟質のシリコーンゴムで形成され、この先端部２ａに繋がる残りの円筒基部２ｂが硬質のシリコーンゴムで形成されている。
【００１０】
先端部２ａを形成している軟質のシリコーンゴムは、ゲル状態（ゼリー状）のシリコーンゴムであり、針入度８０ｍｍ−９０ｍｍであることが好ましい。
【００１１】
シリコーンゴムの硬さは、針入度試験により測定することができる。針入度試験とは、ＪＩＳ  Ｋ２２２０による円錐状金属を用い、円錐の尖った先端を上から試料に乗せて、円錐が試料に入り込む深さを測定する試験であり、その深さが針入度となる。この針入度が大きいほど、シリコーンゴムは柔らかいと言える。
【００１２】
本考案によれば先端部２ａを軟質のシリコーンゴムで形成したので、先端部２ａが歯肉や口腔内粘膜に触れた際に患者に痛みなどの苦痛を与えるおそれがない。また、バキューム装置の吸引ホースは後端開口部３から歯科治療用吸引チップ１の長さの途中まで挿入されることになるが、吸引ホースが挿入される円筒基部２ｂは硬質のシリコーンゴムで形成されているので十分な強度があり、歯科治療用吸引チップ１の装着作業を容易に行うことができる。この歯科治療用吸引チップ１の長さは４０〜５０ｍｍ程度であるが、先端部２ａの長さＬは５ｍｍ程度であることが実用上好ましい。
【００１３】
また、先端部２ａを形成している軟質のシリコーンゴムに香料を添加することにより、先端部２ａが患者の歯肉や口腔内粘膜に触れた際に、そこから香りが広がり、患者をリラックスさせることができる。香料の種類としては、例えばミント香料や、子供向けにはイチゴ香料、バナナ香料などがあり、患者の好みにより適宜選択することができる。
【００１４】
また、先端部２ａを形成している軟質のシリコーンゴムに甘味料を添加することも、患者をリラックスさせる効果がある。甘味料としては、キシリトールが適している。キシリトールは、糖アルコールの一つで、白樺やトウモロコシの芯を加工してつくられる。糖アルコールには、ソルビト−ル、マルチトール（還元麦芽糖）、エリスリトールなど多くのものがあり、いずれもむし歯を起こさない甘味料である。
【００１５】
歯科治療用吸引チップ１を加熱消毒する場合には香料の一部が飛んで、香りが薄くなることがある。そこで、本考案においては、図１のように、円筒状本体（先端部２ａ，円筒基部２ｂ）の外周に香料添加カバー５が着脱自在に装着される。この香料添加カバー５は、香料が添加されたシリコーンゴム、生ゴムなどで形成される。その厚さは、円筒状本体（先端部２ａ，円筒基部２ｂ）の厚さ（数ｍｍ）に比して、０．０２ｍｍ〜０．１ｍｍと極めて薄い、極薄円筒状体５ａと、この極薄円筒状体５ａが巻き付けられる環状縁５ｂとからなる。
【００１６】
環状縁５ｂも極薄円筒状体５ａと同様にシリコーンゴム、生ゴムなどで形成するとよい。香料添加カバー５に添加される香料の種類は同様に、ミント香料や、イチゴ香料、バナナ香料などが適している。また、香料添加カバー５にキシリトールなどの甘味料を添加しても良い。香料添加カバー５の形態はコンドームと似ているが、コンドームのように袋状でなくて、筒の両底が開口されている。
【００１７】
この香料添加カバー５の装着方法を説明すると、図３（ａ）に示すように極薄円筒状体５ａの大部分が環状縁５ｂに巻き付けられた状態で、環状縁５ｂを先端部２ａの付近にはめ込み、図３（ｂ）に示すように、環状縁５ｂを円筒状本体（先端部２ａ，円筒基部２ｂ）の外周上を先端から後端に向けて転がすことで極薄円筒状体５ａが送り出され、円筒状本体（先端部２ａ，円筒基部２ｂ）の外周に容易に装着することができる。装着された香料添加カバー５を取り外すときは、環状縁５ｂを上記と逆方向に転がすことで極薄円筒状体５ａが環状縁５ｂに巻き取られ、簡単に取り外すことができる。
【００１８】
このように、香料添加カバー５は香り発生により、患者をリラックスさせる効果があるとともに、着脱自在であることから患者毎に交換することができて衛生的であり、その着脱作業も実に簡単である。
【００１９】
次に、本考案の第２の実施形態による歯科治療用吸引チップを図４及び図５を参照しながら説明する。図４はこの歯科治療用吸引チップ１１の斜視図、図５はその長手方向に沿った断面図である。
【００２０】
この歯科治療用吸引チップ１１も円筒状のチューブであり、後端開口部１３と先端開口部１４が形成されている。そして、患者の歯肉や口腔粘膜に触れる先端部１２ａが軟質のシリコーンゴムで形成され、この先端部１２ａを除いた円筒基部１２ｂが硬質のシリコーンゴムで形成されている。
【００２１】
この歯科治療用吸引チップ１１が第１の実施形態のものと異なる点は、先端開口部１４の縁から舌状に伸びる延伸部１５が形成されている点である。この延伸部１５が主として患者の歯肉や口腔粘膜に触れるので、この延伸部１５を含む先端部１２ａが軟質のシリコーンゴムで形成されている。
【図面の簡単な説明】
【００２２】
【図１】本考案の第１の実施形態による歯科治療用吸引チップの斜視図である。
【図２】本考案の第１の実施形態による歯科治療用吸引チップの長手方向に沿った断面図である。
【図３】本考案の第１の実施形態による歯科治療用吸引チップに装着される香料添加カバーの斜視図である。
【図４】本考案の第２の実施形態による歯科治療用吸引チップの斜視図である。
【図５】本考案の第２の実施形態による歯科治療用吸引チップの長手方向に沿った断面図である。
【符号の説明】
【００２３】
１，１１  歯科治療用吸引チップ
２ａ  先端部
２ｂ  円筒基部
３  後端開口部
４  先端開口部
５  香料添加カバー
１２ａ  先端部
１２ｂ  円筒基部
１３  後端開口部
１４  先端開口部
１５  延伸部
【図１】
0003127514.tif 000003
【図２】
0003127514.tif 000004
【図３】
0003127514.tif 000005
【図４】
0003127514.tif 000006
【図５】
0003127514.tif 000007
【手続補正書】
【提出日】平成18年10月3日(2006.10.3)
【手続補正１】
【補正対象書類名】実用新案登録請求の範囲
【補正対象項目名】請求項５
【補正方法】変更
【補正の内容】
【請求項５】
前記香料は、ミント香料、イチゴ香料、バナナ香料のいずれかであることを特徴とする請求項１または４に記載の歯科治療用吸引チップ。